(57)【要約】【課題】点火コイルがエンジンの点火プラグに高電圧を供給し、点火プラグが火花放電を行う際に、点火コイルの絶縁ケースから外に放射されるノイズを低減する。【解決手段】上面が開放し、外に突出した１次端子を有する絶縁ケース１７の内部に、２次コイル１２と、その内周に同心状に嵌合した１次コイル１１と、上記２次コイルの外を囲む外環鉄心部１３及び上記１次コイルの内周を貫通し、両端部が上記外環鉄心部の内周に接続した直線鉄心部１４を有する閉磁路鉄心とからなるコイル−鉄心組立体１５を少なくとも収容し、上記絶縁ケースの内部に注型した絶縁樹脂の固化層１８により、絶縁ケースの内部に上記コイル−鉄心組立体を埋没、固定した内燃機関用点火コイルにおいて、上記絶縁ケースの内面に導電層３０を設けたことを特徴とする。【選択図】    図２
2004241621.tif 000002
【特許請求の範囲】
【請求項１】
上面が開放し、外に突出した１次端子を有する絶縁ケースの内部に、２次コイルと、その内周に同心状に嵌合した１次コイルと、上記２次コイルの外を囲む外環鉄心部及び上記１次コイルの内周を貫通し、両端部が上記外環鉄心部の内周に接続した直線鉄心部を有する閉磁路鉄心とからなるコイル−鉄心組立体を少なくとも収容し、上記絶縁ケースの内部に注型した絶縁樹脂の固化層により、絶縁ケースの内部に上記コイル−鉄心組立体を埋没、固定した内燃機関用点火コイルにおいて、
上記絶縁ケースの内面に導電層を設けた、
ことを特徴とする内燃機関用点火コイル。
【請求項２】
請求項１に記載の内燃機関用点火コイルにおいて、
導電層は塗布された導電塗料層である、
ことを特徴とする内燃機関用点火コイル。
【請求項３】
請求項１に記載の内燃機関用点火コイルにおいて、
導電層は導電物質の真空蒸着層である、
ことを特徴とする内燃機関用点火コイル。
【請求項４】
請求項１に記載の内燃機関用点火コイルにおいて、
導電層は絶縁ケースの内面に沿うように成形され、上記絶縁ケースの内面に沿い収容された金属箔である、
ことを特徴とする内燃機関用点火コイル。
【請求項５】
請求項１から４のどれか１項に記載の内燃機関用点火コイルにおいて、
絶縁ケースの開放した上面に金属板を装着し、この金属板と絶縁ケースの内面の導電層を電気的に接続した、
ことを特徴とする内燃機関用点火コイル。
【請求項６】
請求項１から５のどれか１項に記載の内燃機関用点火コイルにおいて、
絶縁ケースの内面に設けた導電層と１次端子のアース端子とを電気的に接続した、
ことを特徴とする内燃機関用点火コイル。
【発明の詳細な説明】
【０００１】
【発明の属する技術分野】
本発明は、内燃機関、例えば自動車のエンジンに取付けられ、エンジンのプラグホールの底に設けられた点火プラグに火花放電を発生させるための高電圧を供給する内燃機関用点火コイルに関する。
【０００２】
【従来の技術】
従来から、上面が開放し、外に突出した１次端子を有する絶縁ケースの内部に、２次コイルと、その内周に嵌合した１次コイルと、上記２次コイルの外を囲む外環鉄心部及び上記１次コイルの内周へ貫通し、両端部が上記外環鉄心部の内周に接続した直線鉄心部を有する閉磁路鉄心とからなるコイル−鉄心組立体を少なくとも収容し、上記絶縁ケースの内部に注型した絶縁樹脂の固化層により、絶縁ケースの内部にコイル−鉄心組立体を埋没、固定した内燃機関用点火コイルは周知である（例えば、本特許出願人の特許文献１参照）。
【０００３】
【特許文献１】
特開２０００−２９４４３４号公報（段落［０００９］〜［００２２］、図１、２、３）
【０００４】
【発明が解決しようとする課題】
上記特許文献１の内燃機関用点火コイルを使用し、点火プラグに火花放電させるため、点火コイルに高電圧を発生させて火花放電が開始すると、急峻なサージ電圧が発生し、高圧電流が流れている点火コイル本体及び点火コイル〜点火プラグ間の配線部から高周波の電波が発生する。実験的にも数百ｋＨｚ〜数ＧＨｚの周波数成分が含まれており、この電磁波の大きさにより、車搭載のラジオや電子部品或いは、車の周辺機器に悪影響を及ぼし、ノイズとしてラジオの音声は聞き難くなり、電子製品、特にコンピュータに異常動作を与えると制御できなくなり、最悪時には自動車が運転不能になってしまう。
【０００５】
このため、従来方式のディストリビュータを用い、ハイテンションコードを使用して高電圧配電させる方法では、ハイテンションコードに数ｋΩまでの抵抗分をもたせて、前述のノイズの大きさを低減させていた。又、最近の点火プラグ直結で、ディストリビュータを用いない方法では、点火コイル〜点火プラグ間に数ｋΩの抵抗を装着して同様にノイズの大きさを低減させている。しかしながら、数十ＭＨｚ以上の抵抗器のインピーダンス値は容量成分が大きくなるため、ノイズの低減効果は少なく、さらに低減させるのは困難であった。
【０００６】
【課題を解決するための手段】
本発明は、上記ノイズを更に低減して電磁波を低減させるために開発されたもので、請求項１の点火コイルは、上面が開放し、外に突出した１次端子を有する絶縁ケースの内部に、２次コイルと、その内周に同心状に嵌合した１次コイルと、上記２次コイルの外を囲む外環鉄心部及び上記１次コイルの内周を貫通し、両端部が上記外環鉄心部の内周に接続した直線鉄心部を有する閉磁路鉄心とからなるコイル−鉄心組立体を少なくとも収容し、上記絶縁ケースの内部に注型した絶縁樹脂の固化層により、絶縁ケースの内部に上記コイル−鉄心組立体を埋没、固定した内燃機関用点火コイルにおいて、上記絶縁ケースの内面に導電層を設けたことを特徴とする。この導電層は塗布された導電塗料層であっても、導電物質の真空蒸着層であっても、電気メッキ層であっても、絶縁ケースの内面に沿うように成形され、上記絶縁ケースの内面に沿い収容された金属箔であってもよい。又、絶縁ケースの開放した上面に金属板を装着し、この金属板と絶縁ケースの内面の導電層を電気的に接続したり、絶縁ケースの内面に設けた導電層と１次端子のアース端子とを電気的に接続したりすることが好ましい。
【０００７】
【発明の実施の形態】
図１、２に示した実施形態において、周知のように、１１は円筒形の１次コイル、１２は上記１次コイルの外に同心状に嵌合した２次コイルである。又、１３と１４は閉磁路を構成するための無端の外環鉄心部と、この外環鉄心部が囲む内部を横切る直線鉄心部であり、直線鉄心部１４は前記１次コイル１１のボビンの内周を貫通して同心状に嵌合した両コイル１１、１２を支持し、これにより両鉄心部１３、１４と、両コイル１１、１２とで閉磁路のコイル−鉄心組立体１５が構成される。
【０００８】
１７は内周の内向き段部１７′上に両鉄心部１３、１４を水平に支持してコイル−鉄心組立体を固定するための合成樹脂で成形した絶縁ケースである。この絶縁ケース１７は、両鉄心部１３、１４の下面から突出する２次コイル１２の下部１２′を収容するため、上記内向き段部１７′の下に２次コイルの下部に倣い、且つ底の中央からは高圧端子２１を保持した高圧筒２２が下向きに突出する漏斗形底部１９と、前記内向き段部１７′の上に一体に設けられ、前記外環鉄心部１３の回りを囲むと共に、１次端子の１次ソケット２３が側面から外向きに突出する筒形上部２０とを一体に備えている。
【０００９】
点火コイルを構成するには、周知のように、外環鉄心部１３を内周内向き段部１７′に載せてコイル−鉄心組立体１５を絶縁ケースの内部に収容し、その２次コイルの巻終り側を高圧端子２１に、１次コイルを１次ソケット２３の１次端子に結線し、絶縁ケース１７内に熱硬化性エポキシ樹脂などの絶縁樹脂を注型、充填し、その固化層１８によって絶縁ケース内にコイル−鉄心組立体１５を固定し、且つ高圧筒２２内に高圧端子２１を固定する。
【００１０】
本発明に則り、絶縁ケース１７の内面には予め導電層３０が設けてある。
【００１１】
導電層３０は図示の実施形態では、図１（ａ）、（ｂ）に示すように内向き段部１７′上、その上の筒形上部２０の内周、漏斗形底部１９の内周に一体に設けてある。
【００１２】
そして、筒形上部２０と１次ソケット２３を隔てる隔壁２４の一部を切欠き、１次ソケット２３中の１次端子のうちアース端子２５の基部を上記切欠きに差し入れ、導電層３０と電気的に接触させてある。尚、１次端子は絶縁ケース１７を１次ソケット２３と一体に成形する際、１次ソケット中にインサートモールドで固定したものである。
【００１３】
この導電層３０は、導電性塗料を塗布した導電塗料層であっても、導電物質の真空蒸着層であっても、電気メッキ層であってもよい。
【００１４】
更に、アルミ、銅などの厚さ０．１ｍｍ度の金属箔で図３（ａ、ｂ）に示すように、絶縁ケースの内面に沿う成形体３１を成形し、この成形体を絶縁ケース１７の中に上から嵌め入れ、必要ならば絶縁ケースの内面と接着剤などで固定してもよい。
【００１５】
又、図４に示した下向きの爪片３３を有する蓋３２を黄銅板、アルミ板などの金属板で成形し、絶縁ケース１７中に熱硬化性の絶縁樹脂を注型、充填し、絶縁ケース内に収容したコイル−鉄心組立体１５を固定する際、絶縁樹脂が硬化する前に上記蓋３２を絶縁ケースの上面に被せると、蓋３２に設けられた下向きの爪片３３は絶縁ケースの内面の導電層３０と電気的に接触し、絶縁樹脂が固化すると、絶縁ケース内に収容したコイル−鉄心組立体や、高圧端子が固定されると同時に、蓋３２も絶縁ケースの上面に固定される（図２ｃ参照）。
【００１６】
【発明の効果】
請求項１から４の発明の点火コイルでは、点火プラグの電極で火花放電した高周波の電流が流れ、空間に電磁波として放射されても、その大部分が絶縁ケースの内面の導電層に届き、ここで高周波の電磁波により誘起された電圧は導電層により点火コイルの絶縁ケースの外側の空間に放射されるのは減衰された電磁波になる。従って、車載のラジオや、電子部品への影響は非常に小さくなる。従って、この点火コイルを使用した自動車の信頼性は高まる。又、請求項５の発明の点火コイルでは、絶縁ケースの上面を塞ぐ蓋が爪片により絶縁ケースの内面の導電層と電気的に接続しているため、点火プラグの火花放電による高周波の電磁波で誘起された電圧は蓋によって、絶縁ケースの上面から減衰された電磁波として放射され、請求項１から４の効果を一層高める。更に請求項６の発明によれば、絶縁ケースの内面の導電層は１次端子のアース端子と電気的に接続しているので、誘起された高周波の電流は１次端子のアース端子を伝ってアースされ、絶縁ケースの外に放射される電磁波は更に減衰される。
【図面の簡単な説明】
【図１】図１の（ａ）はこの発明による点火コイル絶縁ケースの一実施形態の平面図、（ｂ）は同上の縦断側面図。
【図２】図２の（ａ）はこの発明による点火コイル絶縁ケースの一実施形態の縦断側面図、（ｂ）は同上の絶縁樹脂注型前の平面図、（ｃ）は（ｂ）のｃ−ｃ線での断面図。
【図３】図３の（ａ）は金属箔により成形した導電層の平面図、（ｂ）は（ａ）のｂ−ｂ線での断面図。
【図４】図４の（ａ）は絶縁ケースの上面を塞ぐ蓋の平面図、（ｂ）は同上の側面図、（ｃ）は同じく正面図。
【符号の説明】
１１  １次コイル
１２  ２次コイル
１５  コイル−鉄心組立体
１７  絶縁ケース
１８  熱硬化性絶縁樹脂の固化層
２１  高圧端子
２３  １次ソケット
２５  １次端子のアース端子
３０  導電層
３１  金属箔による導電層の成形体
３２  蓋（金属板製）
３３  蓋に設けた下向きの爪片
【図１】
2004241621.tif 000003
【図２】
2004241621.tif 000004
【図３】
2004241621.tif 000005
【図４】
2004241621.tif 000006